(57)【特許請求の範囲】
【請求項１】
ゲート管理システムと、ネットワーク管理システムと、管理用サーバーとがネットワーク接続され、
個人を特定するＩＤ番号が記録されたカード媒体を用いる在室率算出システムにおいて、
前記ゲート管理システムは、
カードリーダーと、
電子錠と、
前記カード媒体によって、電子錠を入室のために開錠したときに、カードリーダーが前記カード媒体から読み取ったＩＤ番号と、開錠したときの時間を含む入室データを生成し、生成した入室データを管理用サーバーに送信する手段と、
前記カード媒体によって、電子錠を退室のために開錠したときに、カードリーダーが前記カード媒体から読み取ったＩＤ番号と、開錠したときの時間を含む退室データを生成し、生成した退室データを管理用サーバーに送信する手段と、
を備え、
前記ネットワーク管理システムは、
カードリーダーを接続するパーソナルコンピュータと、
前記カード媒体によって、パーソナルコンピュータにログインしたときに、カードリーダーが前記カード媒体から読み取ったＩＤ番号とログインした時刻を含むログインデータを生成し、生成したログインデータを管理用サーバーに送信する手段と、
前記カード媒体によって、パーソナルコンピュータからログアウトしたときに、カードリーダーが前記カード媒体から読み取ったＩＤ番号とログアウトした時刻を含むログアウトデータを生成し、生成したログアウトデータを管理用サーバーに送信する手段と、
を備え、
前記管理用サーバーは、
在籍者の人数を記憶する手段と、
前記ゲート管理システムから送信された、入室データ、あるいは、退室データを受信して記憶する手段と、
前記ネットワーク管理システムから送信された、ログインデータ、あるいは、ログアウトデータを受信して記憶する手段と、
記憶した入室データのＩＤ番号と、記憶したログインデータのＩＤ番号とを用いて、重複したＩＤ番号を除いたＩＤ番号の個数を算出して、出勤者数を算出する手段と、
記憶した退室データに基づいて算出したＩＤ番号の合計数を、出勤者数から減算して、在室者数を算出する手段と、
在室者数と在籍者数との比、あるいは、在室者数と出勤者数との比に基づいて、勤務者の在室率を算出する手段と、
を備えることを特徴とする在室率算出システム。
【請求項２】
前記ゲート管理システムと、ネットワーク管理システムと、管理用サーバーとがネットワーク接続され、個人を特定するＩＤ番号が記録されたカード媒体を用いるネットワーク稼動率算出システムにおいて、
前記ゲート管理システムは、
カードリーダーと、
電子錠と、
前記カード媒体によって、電子錠を入室のために開錠したときに、カードリーダーが前記カード媒体から読み取ったＩＤ番号と、開錠したときの時間を含む入室データを生成し、生成した入室データを管理用サーバーに送信する手段と、
前記カード媒体によって、電子錠を退室のために開錠したときに、カードリーダーが前記カード媒体から読み取ったＩＤ番号と、開錠したときの時間を含む退室データを生成し、生成した退室データを管理用サーバーに送信する手段と、
を備え、
前記ネットワーク管理システムは、
カードリーダーを接続するパーソナルコンピュータと、
前記カード媒体によって、パーソナルコンピュータにログインしたときに、カードリーダーが前記カード媒体から読み取ったＩＤ番号とログインした時刻を含むログインデータを生成し、生成したログインデータを管理用サーバーに送信する手段と、
前記カード媒体によって、パーソナルコンピュータからログアウトしたときに、カードリーダーが前記カード媒体から読み取ったＩＤ番号とログアウトした時刻を含むログアウトデータを生成し、生成したログアウトデータを管理用サーバーに送信する手段と、
を備え、
前記管理用サーバーは、
設置端末数を記憶する手段と、
前記ゲート管理システムから送信された、入室データ、あるいは、退室データを受信して記憶する手段と、
前記ネットワーク管理システムから送信された、ログインデータ、あるいは、ログアウトデータを受信して記憶する手段と、
記憶した入室データのＩＤ番号と、記憶したログインデータのＩＤ番号とを用いて、重複したＩＤ番号を除いたＩＤ番号の個数を算出して、出勤者数を算出する手段と、
記憶した退室データのＩＤ番号の合計数を、出勤者数から減算して、在室者数を算出する手段と、
ネットワーク管理システムが認識したログイン中のＩＤ番号数の合計を算出して、該合計数をもって、起動している起動端末数とする手段と、
設置端末数に対する現在時点で起動している起動端末数の比率、または、在室者数に対する起動している起動端末数の比率を算出して、ネットワーク稼働率とする手段と、
を備えることを特徴とするネットワーク稼働率算出システム。
【請求項３】
ゲート管理システムに使用されるカード媒体が非接触ＩＣカードであることを特徴とする請求項１記載の在室率算出システム。
【発明の詳細な説明】
【０００１】
【発明の属する技術分野】
この発明は、ゲート管理システムおよびネットワーク管理システムから得られる情報を元に勤務者の在室率および端末のネットワーク稼働率を算出するシステムに関する。
詳しくは、ゲート管理やネットワーク管理システムの本来の機能を維持しつつ併せて勤務者の在室率およびネットワーク稼働率の算出を行い、ひいては適切な人員配置や端末の導入数を算定することを目的とする複合システムに関する。
主として、パーソナルコンピュータ等の端末を常用し、個人の使用する端末のネットイン管理がされている職場に好適なシステムに関する。
【０００２】
【従来技術】
従来、在室率管理については、タイムレコーダーを中心としたシステムにより、出勤者数Ｎを把握しこれと在室者数ｎを計数し、この数との比率（ｎ／Ｎ）等により在室率を計算していた。
一方、入室時の扉の開錠に際し、磁気カードまたはＩＣカード、あるいは非接触ＩＣカードのような携帯可能カード媒体を使用して、本人であることを確認してから扉の開錠を行う仕組みはゲート管理システムとして知られるが、個人を識別しての入退室管理（入退室可否の判断）することが目的であって、勤務者全体の在室率等を算出するシステムにはなっていない。
また、ネットワーク管理システムは、サーバーへのログイン時に、同様に、磁気カード、ＩＣカードあるいは非接触ＩＣカードを使用して、ログインまたはログアウトした時刻を記録管理する。サーバーへログインすべき情報、例えば、サーバー名やユーザー名、あるいはパスワード等は、カード媒体内に記録されており、ログインする際に、このカードを使用することにより情報が読み取られるものである。このシステムも個々の端末のログイン−ログアウトの管理を行うが、ネットワーク全体の稼働率等を算出するシステムにはなっていない。
【０００３】
従って、従来、在室率や稼働率を常時算出するような適当なシステムは無く、必要に応じてその都度、算出するようなことが行われていた。
したがって、在室率やネットワーク稼働率について定常的な管理がされず、過剰または不足な人員配置や設備配置をそのまま放置してしまう原因ともなっていた。また、単に出欠データからのみ在室率を算出し、端末の数からのみネットワーク稼働率を算出しても適正な人員配置や端末導入計画に結び付かず、人員と端末とを関連付けて把握する必要があると考えられる。
【０００４】
【発明が解決しようとする課題】
そこで、本発明では、ゲート管理システムにネットワーク管理システムのデータを結び付けることにより、従来のそれぞれの機能を維持するとともに、相互の機能を結合して在室率およびネットワーク稼働率算出システムとして適用できることを着想し、本発明の完成に至ったものである。
【０００５】
【課題を解決するための手段】
上記課題を解決するための本発明の要旨の第１は、ゲート管理システムと、ネットワーク管理システムと、管理用サーバーとがネットワーク接続され、
個人を特定するＩＤ番号が記録されたカード媒体を用いる在室率算出システムにおいて、
前記ゲート管理システムは、
カードリーダーと、
電子錠と、
前記カード媒体によって、電子錠を入室のために開錠したときに、カードリーダーが前記カード媒体から読み取ったＩＤ番号と、開錠したときの時間を含む入室データを生成し、生成した入室データを管理用サーバーに送信する手段と、
前記カード媒体によって、電子錠を退室のために開錠したときに、カードリーダーが前記カード媒体から読み取ったＩＤ番号と、開錠したときの時間を含む退室データを生成し、生成した退室データを管理用サーバーに送信する手段と、
を備え、
前記ネットワーク管理システムは、
カードリーダーを接続するパーソナルコンピュータと、
前記カード媒体によって、パーソナルコンピュータにログインしたときに、カードリーダーが前記カード媒体から読み取ったＩＤ番号とログインした時刻を含むログインデータを生成し、生成したログインデータを管理用サーバーに送信する手段と、
前記カード媒体によって、パーソナルコンピュータからログアウトしたときに、カードリーダーが前記カード媒体から読み取ったＩＤ番号とログアウトした時刻を含むログアウトデータを生成し、生成したログアウトデータを管理用サーバーに送信する手段と、
を備え、
前記管理用サーバーは、
在籍者の人数を記憶する手段と、
前記ゲート管理システムから送信された、入室データ、あるいは、退室データを受信して記憶する手段と、
前記ネットワーク管理システムから送信された、ログインデータ、あるいは、ログアウトデータを受信して記憶する手段と、
記憶した入室データのＩＤ番号と、記憶したログインデータのＩＤ番号とを用いて、重複したＩＤ番号を除いたＩＤ番号の個数を算出して、出勤者数を算出する手段と、
記憶した退室データに基づいて算出したＩＤ番号の合計数を、出勤者数から減算して、在室者数を算出する手段と、
在室者数と在籍者数との比、あるいは、在室者数と出勤者数との比に基づいて、勤務者の在室率を算出する手段と、
を備えることを特徴とする在室率算出システム、にある。かかるシステムであるため適正な在室率を算出できる。
【０００６】
上記課題を解決するための本発明の要旨の第２は、
前記ゲート管理システムと、ネットワーク管理システムと、管理用サーバーとがネットワーク接続され、個人を特定するＩＤ番号が記録されたカード媒体を用いるネットワーク稼動率算出システムにおいて、
前記ゲート管理システムは、
カードリーダーと、
電子錠と、
前記カード媒体によって、電子錠を入室のために開錠したときに、カードリーダーが前記カード媒体から読み取ったＩＤ番号と、開錠したときの時間を含む入室データを生成し、生成した入室データを管理用サーバーに送信する手段と、
前記カード媒体によって、電子錠を退室のために開錠したときに、カードリーダーが前記カード媒体から読み取ったＩＤ番号と、開錠したときの時間を含む退室データを生成し、生成した退室データを管理用サーバーに送信する手段と、
を備え、
前記ネットワーク管理システムは、
カードリーダーを接続するパーソナルコンピュータと、
前記カード媒体によって、パーソナルコンピュータにログインしたときに、カードリーダーが前記カード媒体から読み取ったＩＤ番号とログインした時刻を含むログインデータを生成し、生成したログインデータを管理用サーバーに送信する手段と、
前記カード媒体によって、パーソナルコンピュータからログアウトしたときに、カードリーダーが前記カード媒体から読み取ったＩＤ番号とログアウトした時刻を含むログアウトデータを生成し、生成したログアウトデータを管理用サーバーに送信する手段と、
を備え、
前記管理用サーバーは、
設置端末数を記憶する手段と、
前記ゲート管理システムから送信された、入室データ、あるいは、退室データを受信して記憶する手段と、
前記ネットワーク管理システムから送信された、ログインデータ、あるいは、ログアウトデータを受信して記憶する手段と、
記憶した入室データのＩＤ番号と、記憶したログインデータのＩＤ番号とを用いて、重複したＩＤ番号を除いたＩＤ番号の個数を算出して、出勤者数を算出する手段と、
記憶した退室データのＩＤ番号の合計数を、出勤者数から減算して、在室者数を算出する手段と、
ネットワーク管理システムが認識したログイン中のＩＤ番号数の合計を算出して、該合計数をもって、起動している起動端末数とする手段と、
設置端末数に対する現在時点で起動している起動端末数の比率、または、在室者数に対する起動している起動端末数の比率を算出して、ネットワーク稼働率とする手段と、
を備えることを特徴とするネットワーク稼働率算出システム、にある。かかるシステムであるため適正なネットワーク稼働率を算出できる。
【０００７】
【発明の実施の形態】
図１は、在室率およびネットワーク稼働率算出システムの概要を示す図である。いずれの算出システムもシステム構成は同一となるので同一図で表現している。図１において、１０はゲート管理システム、２０はネットワーク管理システム、３０は管理用サーバー、を示す。在室率算出システムもネットワーク稼働率算出システムもこのような下位システムや装置から構成されている。
管理用サーバー３０は、ゲート管理システム１０、ネットワーク管理システム２０からのデータを蓄積し、在室率およびネットワーク稼働率を算出し必要により表示出力する。
本システムを利用する個人は、社員証等のカード媒体２を携帯しており、ゲート用電子鍵として、あるいはログイン認証キーとして使用する。
カード媒体２には、磁気カード、接触型ＩＣカード、非接触ＩＣカード等を使用することができる。カード媒体２に代わる可搬性媒体、例えば、コイン状媒体やペン状媒体であって同様の機能を行うものを使用しても勿論構わない。
【０００８】
以下、各構成システム等について説明する。
図２は、ゲート管理システムの構成を示す図である。ゲート管理システム１０は、カードリーダー１１と電子錠１２およびコントローラ１３から構成されている。入退室の際には、個人Ｍ１が携帯するカード媒体（ゲート管理システムの場合、「電子鍵」とも言える。）２をカードリーダー１１に挿入すると、カード媒体２に記録されている情報、特に個人を特定するＩＤ番号をカードリーダー１１が読み込みをする。非接触ＩＣカードの場合は、カードリーダーにかざすことだけにより読み取りがされる。
カードリーダー１１が読み込んだ情報は、コントローラ１３に送信される。コントローラ１３には、あらかじめＩＤ番号が登録されており、送信された情報から、その個人が入室可能な人物であるか否かが判断される。退室可能性については通常は判断しないが、退室の記録を得るためにはカード媒体２の読み取りによる開錠を行うようにする。
入室可能な人物であれば電子錠１２を開錠し、入室できないと判断した場合は電子錠を開錠しない。また開錠した場合、コントローラにＩＤ番号毎に開錠した時間を蓄積し、開錠の都度逐次送信するか、またはまとめて管理用サーバー３０へフロッピーディスク等の媒体へ出力しデータ移動を行う。
【０００９】
ゲート管理システム１０に使用するカード媒体２が非接触ＩＣカードである場合は、データの欠損が少なくなると考えられる。すなわち、１のカード媒体で複数人が同時入退室した場合であっても、非接触ＩＣカードであれば、携帯する多数のＩＣカードのＩＤ番号を認識して読み取ることができるからである。
また、退室の際にも、カードリーダー１１で読み取らせるのは煩わしいが、非接触ＩＣカードであればカードリーダー部を通過することにより読み取られるので、非接触ＩＣカードを携帯していれば良く利用者の手間が軽減する。
この点、接触型ＩＣカードの場合は、同時に多人数入室の場合、カードリーダー１１に読み取らせる動作をしない人物が居るのでデータの欠損が生じ得る。
もっとも、接触型ＩＣカードや磁気カードでも、交通機関の改札システムのように読み取り動作なしでは通過できないような厳格なシステムにすれば、データの欠損が生じる場合はない。
【００１０】
さらに、カード媒体２が、ゲート管理システムとネットワーク管理システムに共用できるものであることが好ましい。両者が異なるカードで機能する場合は、端末をログインした状態で退室する場合があり、常に、１００％近い稼働率を示すことも生じるからである。
この場合、端末を非接触ＩＣカードで起動することもできるが、接触型と非接触型の２ウェイ（Ｗａｙ）のカードで同一のＩＣチップで動作するＩＣカードであれば、ゲート管理の際には非接触ＩＣカード機能を、端末のログインには接触型の機能を使用することができる。
【００１１】
図３は、ネットワーク管理システムの構成を示す図である。ネットワーク管理システム２０は、カードリーダー２１とパーソナルコンピュータ（以下、「ＰＣ」とする。）２２およびサーバー２３、等からなりローカルエリアネットワーク（ＬＡＮ）を構成している。ＰＣ等の端末は各個人に１台と特定されている必要はないが、全ての端末のネットイン管理がされていることが必要となる。稼働状況がネットワーク稼働率に正しく反映する必要があるからである。
ＰＣ２２等の起動と同時に、またはＯＳ起動後に、サーバー２３へログインする環境において、ログインする際に必要とするサーバー名、ユーザー名、パスワード等の情報が記録されているカード媒体（「ログイン認証キー」とも言える。）２からカードリーダー２１がその情報を読み取り、サーバー２３へキックを掛け、ログインが可能であればログインさせる。ログインが不可であればログインさせない。
【００１２】
ログオフする際は、カードリーダー２１からカードを抜き取り自動でそれを判別しログオフするか、またはカードリーダーに再度読み込ませる。
ログインまたはログオフした際の時刻をＰＣに保持し、ログイン／ログオフの都度逐次に、またはまとめて管理用サーバー３０に送信を行う。
管理用サーバー３０はＰＣやディスプレイ３１等を付設していても良く、ゲート管理システム１０またはネットワーク管理システム２０から送信された情報を元に、在室率を計算しさらにネットワーク稼働率を算出することができる。
【００１３】
次に、本システムによるデータの取り扱いについて説明する。
＜ゲート管理システム＞
扉（ゲート）３の開錠に際して、個人Ｍ１はカード媒体（電子鍵）２を使用して、本人であることを確認してから電子錠の開錠を行う。入退室する勤務者は、その人のＩＤ番号により特定できる。入（退）室する勤務者は、カードリーダー１１にカード媒体２を通し開錠する。開錠した際の記録をコントローラ１３が保持する。
得られた時刻情報は、管理用サーバー３０へ逐次送信されるか、フロッピーディスク（ＦＤ）等の媒体に出力し、管理用サーバーで一括処理することにより、個人のＩＤ番号毎に入退室時刻の管理を行うことができる。
【００１４】
このゲート管理システム１０では、ある勤務者の、１日の最初に入室した時刻（開錠時刻）を出勤時刻とみなし、１日の最後に退室した時刻（開錠時刻）を退勤時刻とみなしてデータ処理を行う。出勤と退勤時間の中間においても、その勤務者の入退室毎に時刻情報が得られ、在室率、ネットワーク稼働率算出の基礎データにされる。
図４は、ゲート管理システムで得られる入退室記録の例である。入退室できるメンバーの記録が、西暦年、月、日、時間、分の単位で記録され、氏名、入退室の種別（ＩＮ、ＯＵＴ）とその日の入退室の回数が記録されている。
【００１５】
＜ネットワーク管理システム＞
ネットワーク管理システムでは、各人の使用するＰＣにはカードリーダー２１が接続している。カードリーダーにカード媒体２を通し、カードへアクセスするためのパスワードを入力する。パスワードが承認されるものであれば、カード媒体に保持されたログイン情報を管理用サーバー３０へ送信する。データの内容は、ゲート管理システムの場合と同様である。
この際、ログインした時刻をログイン時間とし、ログアウトした時刻をログアウト時間として、記録を管理する。サーバーへログインすべき情報、例えば、サーバー名やユーザー名、あるいはパスワード等は、携帯可能な記録媒体である当該カード内に記録されており、ログインする際に、このカード媒体を使用することにより情報が読み取られる。
【００１６】
＜管理用サーバー＞
管理用サーバー３０は、ゲート管理システムまたはネットワーク管理システムから得られた個人毎の入退室時刻情報、ログイン−ログアウト時刻情報を情報源として機能する。
ネットワーク管理システムのデータは、ゲート管理システムが故障した場合や、前記のように複数人が同時入退室した場合に参照されるほか、ネットワーク稼働率算出のために使用される。
ネットワーク管理システムのデータを在室率算出システム１に補充する場合は、ネットワークシステムにおける各勤務者の１日の最初のログイン時刻Ｔｉから一定時間ｔ１を減算した時刻を出勤時刻とし、最後のログアウト時刻Ｔｏに一定時間ｔ２を加算した時刻を退勤時刻、として補充することが必要となる。
入室の時刻とＰＣ等を起動する時刻あるいはＰＣ等を停止してから退室する時刻とには、数十秒から数分のタイムラグがあるのが常だからである。
この一定時間ｔ１やｔ２は、室内メンバーの平均実績値を算出するか勤務者毎の平均実績値を算出して適用することになる。
【００１７】
ここに在室率やネットワーク稼働率は、以下の基準で算出することとする。
＜在室率＞在室率とは、在籍者数Ｓ、または出勤者数Ｎに対する、現在時点での在室者数ｎの比率（ｎ／Ｓ）または（ｎ／Ｎ）をいう。前者によるものをＺ１、後者によるものをＺ２とする。在籍者数Ｓは、通常はある期間において固定した数値であるため、ゲート管理システムによらず得られる数値である。出勤者数Ｎは日変化する数値であるため、管理用サーバー３０から数値を得る。
ここに、出勤者数Ｎ＝（ゲート管理システムが認識した当日当該時刻までにおけるＩＤ番号の数Ｎｇ）＋（ネットワーク管理システムが認識した当日当該時刻までにおけるＩＤ番号の数Ｎｎ）−（ＮｇとＮｎの重複ＩＤ番号数）となる。また、在室者数ｎ＝Ｎ−（ゲート管理システムが認識した当日当該時点における退室者のＩＤ番号の合計数） となる。在室者数ｎは、時間変化する数値であるから、在室率を算出する時点でとらえるものとする。
従って、在室率は、
Ｚ１＝（ｎ／Ｓ）×１００（％） または
Ｚ２＝（ｎ／Ｎ）×１００（％） で算出されることになる。
【００１８】
＜ネットワーク稼働率＞ネットワーク稼働率とは、設置端末数Ｎｕまたは在室者数ｎに対する、現在時点で起動している端末数ｎｕの比率（ｎｕ／Ｎｕ）または（ｎｕ／ｎ）をいう。前者によるものをＫ１、後者によるものをＫ２とする。設置端末数Ｎｕは、通常はある期間において固定した数値である。従って、Ｋ１は、ゲート管理システムから得られた数値とは無関係に算出できる。起動している端末数ｎｕ＝ネットワーク管理システムが認識したその時点におけるログイン中のＩＤ番号数の合計、となる。起動している端末数ｎｕや在室者数ｎは、時間変化する数値であるから、ネットワーク稼働率を算出する時点でとらえるものとする。いずれも管理用サーバーやネットワーク管理システムから得られる数値から算出できる。ゲート管理システムから得られる数値はｎを算出する場合にのみ参照される。従って、ネットワーク稼働率は、
Ｋ１＝（ｎｕ／Ｎｕ）×１００（％） または
Ｋ２＝（ｎｕ／ｎ） ×１００（％） で算出されることになる。
【００１９】
図５は、あるコンピュータ部門勤務者の入退室状況とログイン−ログアウト状況を示し、図６は、在室率とネットワーク稼働率の推移を示すグラフである。
なお、在籍者数Ｓ＝２０、設置端末数Ｎｕ＝２２である。
図５において、在室者数ｎは、午前１０時から１１時４５分において、１７名となり、これが当日の出勤者数Ｎとなる。
この場合の在室率Ｚ２は、図６のＺ２となる。一方、在籍者数Ｓ＝２０であるので、在室率Ｚ１は、図６のＺ１となる。
午前１２時から午後１時の間の在室者数低下は、昼休みのためであるが、午後は午前中よりも在室率がいずれも低下している。
【００２０】
図５において、起動端末数ｎｕは午前中に最高１４台になり、午後は最高１２台である。この場合のネットワーク稼働率Ｋ１、Ｋ２は図６のようになる。
ネットワーク稼働率は、Ｋ１の場合、６２％が最高であり、Ｋ２の場合、８１％が最高となる。Ｋ２に対しては妥当な数値であるが、Ｋ１の起動している端末数に対する比では、やや設置端末数が多いことが読み取れる。
このようなデータを数日または数ケ月にわたって出力し採取することにより在室率の低い原因や適正な人員配置の判断、あるいはネットワーク稼働率から端末装置の設置数の適否が判断できるようになる。
管理用サーバー３０には、上記のようなデータの取扱いを行い、在室率、ネットワーク稼働率を算出し、実績を日毎または月毎に算出しグラフ化して出力するソフトウェアーが搭載されている。
【００２１】
【発明の効果】
上述のように、本発明の在室率算出システムおよびネットワーク稼働率算出システムでは、ゲート管理システムとネットワーク管理システムという職場に密接したシステムからデータが取得されるので、特別な新規装置を導入しないで勤務職場の実態に即した在室率やネットワーク稼働率を算出することができる。
また、ゲート管理システムとネットワーク管理システムの双方のシステムを協調させているので、データの欠損や漏れが生じることが少ない。
在室率やネットワーク稼働率を定常的に把握できるので、適正な人員配置や設備導入を図ることにつながる。
【図面の簡単な説明】
【図１】  在室率およびネットワーク稼働率算出システムの概要を示す図である。
【図２】  ゲート管理システムの構成を示す図である。
【図３】  ネットワーク管理システムの構成を示す図である。
【図４】  ゲート管理システムで得られる入退室記録の例である。
【図５】  あるコンピュータ部門勤務者の入退室状況とログイン−ログアウト状況を示すグラフである。
【図６】  在室率とネットワーク稼働率の推移を示すグラフである。
【符号の説明】
１    在室率算出システム、ネットワーク稼働率算出システム
Ｍ１  個人
２    カード媒体
３    扉（ゲート）
１０    ゲート管理システム
１１    カードリーダー
１２    電子錠
１３    コントローラ
２０    ネットワーク管理システム
２１    カードリーダー
２２    パーソナルコンピュータ
２３    サーバー
３０    管理用サーバー
ｎ    在室者数
ｎｕ    起動端末数
Ｚ１，Ｚ２    在室率
Ｋ１，Ｋ２    ネットワーク稼働率
【図１】
0004788041.tif 000002
【図２】
0004788041.tif 000003
【図３】
0004788041.tif 000004
【図４】
0004788041.tif 000005
【図５】
0004788041.tif 000006
【図６】
0004788041.tif 000007